(57)【要約】【課題】放送局の頻繁な切り替えを防止し、受信品質の低下を抑制することができるデジタル放送受信装置を提供すること。【解決手段】地上デジタル放送受信機１００は、受信中の第１の放送局の放送波の受信状態が基準値よりも悪化した旨の判定がなされたときに中継局を検出するサーチ動作を行うサーチ処理部５２と、このサーチ動作と並行して第１の放送局の放送波の受信状態が回復傾向にあるか否かを判定する受信状態回復判定部５３と、中継局が検出されたときであって第１の放送局の放送波が回復傾向にないときに中継局に切り替え、回復傾向にあるときに中継局への切り替えを中止する切替制御部５４とを備えている。【選択図】図１
2019041245.tif 000002
【特許請求の範囲】
【請求項１】
車両に搭載されて、放送された番組の受信を行う車載用放送受信装置であって、
放送波を受信する放送波受信手段と、
前記放送波受信手段から出力される信号を用いて復調処理を行う復調処理手段と、
前記復調処理手段の出力に基づいて受信番組に対応する映像および音声を生成する映像・音声再生手段と、
前記放送波受信手段によって受信中の放送波の受信状態を判定する受信状態判定手段と、
前記受信状態判定手段によって基準値よりも受信状態が悪化した旨の判定がなされたときに、放送波を受信中の第１の放送局と異なる第２の放送局を検出するサーチ動作を行うサーチ手段と、
前記サーチ手段によるサーチ動作と並行して、前記第１の放送局の放送波の受信状態が回復傾向にあるか否かを判定する受信状態回復判定手段と、
前記サーチ手段によって前記第２の放送局が検出されたときであって、前記受信状態回復判定手段によって回復傾向にある旨の判定が行われないときに、前記放送波受信手段による受信対象を前記第１の放送局から前記第２の放送局に切り替え、前記受信状態回復判定手段によって回復傾向にある旨の判定が行われたときに、前記放送波受信手段による受信対象の前記第１の放送局から前記第２の放送局への切り替えを中止する切替制御手段と、
を備えることを特徴とするデジタル放送受信装置。
【請求項２】
前記放送波受信手段は、複数のチューナ部を有しており、
前記複数のチューナ部の一部を用いて前記サーチ手段によるサーチ動作が行われ、前記複数のチューナ部の残りを用いて前記サーチ動作と並行した前記第１の放送局に対応する放送波の受信動作が行われることを特徴とする請求項１に記載のデジタル放送受信装置。
【請求項３】
前記サーチ動作開始前の前記第１の放送局に対応する放送波の受信動作は、前記複数のチューナ部を用いて行われることを特徴とする請求項２に記載のデジタル放送受信装置。
【請求項４】
前記サーチ手段は、前記第２の放送局として前記第１の放送局に対応する中継局あるいは系列局を検出することを特徴とする請求項１〜３のいずれか一項に記載のデジタル放送受信装置。
【請求項５】
前記受信状態回復判定手段は、前記受信状態判定手段によって判定された受信状態を所定の時間間隔で数値化して多項式近似した結果に基づいて前記回復傾向の有無を判定することを特徴とする請求項１〜４のいずれか一項に記載のデジタル放送受信装置。
【請求項６】
前記受信状態回復判定手段は、前記サーチ動作開始時に対して、時間経過に伴って前記受信状態が回復する傾向を、前記多項式近似した結果が示している場合に、前記回復傾向にある旨の判定を行うことを特徴とする請求項５に記載のデジタル放送受信装置。
【請求項７】
前記多項式近似は、二次曲線近似であり、
前記受信状態回復判定手段は、前記二次曲線近似によって得られた二次曲線の二次係数に基づいて前記回復傾向の有無を判定することを特徴とする請求項５または６に記載のデジタル放送受信装置。
【請求項８】
前記受信状態回復判定手段は、前記第１の放送局の放送波の受信状態が、前記サーチ動作開始時よりも良好な場合に、前記回復傾向にある旨の判定を行うことを特徴とする請求項１〜７のいずれか一項に記載のデジタル放送受信装置。
【請求項９】
前記切替制御手段は、前記サーチ手段によって前記第２の放送局が検出されたときに、前記第１の放送局の放送波の受信状態よりも前記第２の放送局の放送波の受信状態の方が良好な場合であって、前記受信状態回復判定手段によって回復傾向にある旨の判定が行われないときに、前記放送波受信手段による受信対象を前記第１の放送局から前記第２の放送局に切り替えることを特徴とする請求項１〜８のいずれか一項に記載のデジタル放送受信装置。
【請求項１０】
前記切替制御手段は、切り替えを中止した前記第２の放送局を記憶しておいて、次回前記受信状態判定手段によって基準値よりも受信状態が悪化した旨の判定がなされたときに、前記サーチ動作に先立って、前記放送波受信手段による受信対象をこの記憶しておいた前記第２の放送局に切り替えることを特徴とする請求項１〜９のいずれか一項に記載のデジタル放送受信装置。
【発明の詳細な説明】
【技術分野】
【０００１】
本発明は、車両等に搭載されて映像や音声などのデジタル放送等を受信するデジタル放送受信装置に関する。
【背景技術】
【０００２】
従来から、４つのチューナ部を用いた４ダイバー構成によりフルセグメントデジタル放送を受信するとともに、受信状態悪化時に一部のチューナ部を用いて放送番組の受信を継続し、残りのチューナ部を用いて中継局をサーチし、受信中の放送局よりも受信状態が良好な中継局に切り替えるようにしたデジタル放送受信装置が知られている（例えば、特許文献１、２参照。）。
【先行技術文献】
【特許文献】
【０００３】
【特許文献１】特開２０１３−１５００５６号公報
【特許文献２】特開２０１２−２５７０１１号公報
【発明の概要】
【発明が解決しようとする課題】
【０００４】
ところで、特許文献１、２に開示されたデジタル放送受信装置では、切替後の中継局の規模が切替前の放送局に比べて小さい場合（送信出力が小さい場合）等において、車両が中継局の近傍を通り過ぎると、受信中の中継局の受信状態が車両の移動とともに急激に悪化してしまい、短時間の間に再度中継局のサーチが必要になる場合がある。その際、元の放送局の受信状態が改善していると（例えば、元の放送局の受信状態がマルチパス等の影響によって一時的に悪化した場合などが考えられる）、中継局サーチにより元の放送局が検出され、元の放送局に再度切り替えることになる。このように、小規模の中継局に切り替えた場合に放送局の切り替えが頻繁に発生する場合があり、受信品質の低下をまねくという問題があった。
【０００５】
本発明は、このような点に鑑みて創作されたものであり、その目的は、放送局の頻繁な切り替えを防止し、受信品質の低下を抑制することができるデジタル放送受信装置を提供することにある。
【課題を解決するための手段】
【０００６】
上述した課題を解決するために、本発明のデジタル放送受信装置は、車両に搭載されて、放送された番組の受信を行う車載用放送受信装置であって、放送波を受信する放送波受信手段と、放送波受信手段から出力される信号を用いて復調処理を行う復調処理手段と、復調処理手段の出力に基づいて受信番組に対応する映像および音声を生成する映像・音声再生手段と、放送波受信手段によって受信中の放送波の受信状態を判定する受信状態判定手段と、受信状態判定手段によって基準値よりも受信状態が悪化した旨の判定がなされたときに、放送波を受信中の第１の放送局と異なる第２の放送局を検出するサーチ動作を行うサーチ手段と、サーチ手段によるサーチ動作と並行して、第１の放送局の放送波の受信状態が回復傾向にあるか否かを判定する受信状態回復判定手段と、サーチ手段によって第２の放送局が検出されたときであって、受信状態回復判定手段によって回復傾向にある旨の判定が行われないときに、放送波受信手段による受信対象を第１の放送局から第２の放送局に切り替え、受信状態回復判定手段によって回復傾向にある旨の判定が行われたときに、放送波受信手段による受信対象の第１の放送局から第２の放送局への切り替えを中止する切替制御手段とを備えている。
【０００７】
受信中の第１の放送局の受信状態が悪化して、この第１の放送局とは異なる第２の放送局を検出した場合であっても、第１の放送局の受信状態が回復傾向にある場合には第２の放送局に切り替えずに元の第１の放送局の放送波の受信が継続されるため、放送局の頻繁な切り替えを防止することができ、頻繁な切り替えに伴う受信品質の低下を抑制することができる。
【０００８】
また、上述した放送波受信手段は、複数のチューナ部を有しており、複数のチューナ部の一部を用いてサーチ手段によるサーチ動作が行われ、複数のチューナ部の残りを用いてサーチ動作と並行した第１の放送局に対応する放送波の受信動作が行われることが望ましい。受信状態悪化時にバックグラウンド処理によって放送局をサーチすることにより、受信中の放送局の番組受信を継続することが可能となる。
【０００９】
また、上述したサーチ動作開始前の第１の放送局に対応する放送波の受信動作は、複数のチューナ部を用いて行われることが望ましい。複数のチューナ部を用いたダイバーシティ受信によって放送波を受信することにより、通常動作時における受信品質の向上が可能となる。
【００１０】
また、上述したサーチ手段は、第２の放送局として第１の放送局に対応する中継局あるいは系列局を検出することが望ましい。これにより、受信状態悪化時に同じ番組内容が放送されている中継局や系列局に切り替えることが容易となる。
【００１１】
また、上述した受信状態回復判定手段は、受信状態判定手段によって判定された受信状態を所定の時間間隔で数値化して多項式近似した結果に基づいて回復傾向の有無を判定することが望ましい。これにより、悪化した第１の放送局の受信状態が時間経過とともにどのように変化しているかを把握することができ、受信状態が回復傾向にあるか否かを正確に判定することが可能となる。
【００１２】
また、上述した受信状態回復判定手段は、サーチ動作開始時に対して、時間経過に伴って受信状態が回復する傾向を、多項式近似した結果が示している場合に、回復傾向にある旨の判定を行うことが望ましい。これにより、悪化した受信状態がサーチ動作中に回復しているか否かを確認することが可能となる。
【００１３】
また、上述した多項式近似は、二次曲線近似であり、受信状態回復判定手段は、二次曲線近似によって得られた二次曲線の二次係数に基づいて回復傾向の有無を判定することが望ましい。これにより、受信状態が変化する傾向を把握して受信状態の回復傾向の有無を判定することが容易となる。
【００１４】
また、上述した受信状態回復判定手段は、第１の放送局の放送波の受信状態が、サーチ動作開始時よりも良好な場合に、回復傾向にある旨の判定を行うことが望ましい。これにより、受信状態が回復していることを容易に確認することが可能となる。
【００１５】
また、上述した切替制御手段は、サーチ手段によって第２の放送局が検出されたときに、第１の放送局の放送波の受信状態よりも第２の放送局の放送波の受信状態の方が良好な場合であって、受信状態回復判定手段によって回復傾向にある旨の判定が行われないときに、放送波受信手段による受信対象を第１の放送局から第２の放送局に切り替えることが望ましい。これにより、サーチ動作に伴う切替時まで待って受信状態の回復の有無を判定することができるため、この判定精度を高めることが可能となる。
【００１６】
また、上述した切替制御手段は、切り替えを中止した第２の放送局を記憶しておいて、次回受信状態判定手段によって基準値よりも受信状態が悪化した旨の判定がなされたときに、サーチ動作に先立って、放送波受信手段による受信対象をこの記憶しておいた第２の放送局に切り替えることが望ましい。これにより、一旦切り替えを中止して元の放送局の受信を継続したが再度受信状態が悪化した場合に、前回検出した放送局に迅速に切り替えることが可能となり、受信状態悪化から放送局の切り替えまでに要する時間を短縮することができる。
【図面の簡単な説明】
【００１７】
【図１】一実施形態の地上デジタル放送受信機の構成を示す図である。
【図２】現在受信中の放送波の受信状態が悪化したときに中継局をサーチして切り替える動作手順を示す流れ図である。
【図３】二次近似式と受信状態回復の有無判定の具体例を示す図である。
【図４】現在受信中の放送波の受信状態が悪化したときに中継局をサーチして切り替える変形例の動作手順を示す流れ図である。
【発明を実施するための形態】
【００１８】
以下、本発明を適用した一実施形態の地上デジタル放送受信機について、図面を参照しながら説明する。
【００１９】
図１は、一実施形態の地上デジタル放送受信機の構成を示す図である。図１に示すように、本実施形態の地上デジタル放送受信機１００は、車両に搭載されており、４つのチューナ部１０、１２、１４、１６、ＯＦＤＭ（Orthogonal Frequency Division Multiplex）復調部３０、３２、ＭＰＥＧデコーダ４０、デジタル−アナログ変換器（Ｄ／Ａ）４２、スピーカ４４、表示処理部４６、表示装置４８、制御部５０を含んで構成されている。
【００２０】
チューナ部１０、１２、１４、１６のそれぞれは、指定された放送局に対応する受信周波数の放送波をアンテナを介して受信する。ＯＦＤＭ復調部３０、３２のそれぞれは、複数のチューナ部から入力される放送信号（ＩＦ信号）に対してＯＦＤＭ復調処理を行い、ＴＳ（トランスポートストリーム）信号を出力する。本実施形態では、複数のチューナ部から入力される放送信号を用い、これらの放送信号の位相を調整した後に合成して受信する合成ダイバーシティ構成が採用され、使用するチューナ部の数が多い程Ｃ／Ｎを向上させることができる。
【００２１】
また、本実施形態では、放送信号の受信状態が良好な場合には、４つのチューナ部１０、１２、１４、１６から出力される４つのＩＦ信号を合成してＯＦＤＭ復調処理を行う４合成ダイバーの動作がＯＦＤＭ復調部３０によって行われる。一方、放送信号の受信状態が悪化すると、２つのチューナ部１０、１２から出力される２つのＩＦ信号を合成してＯＦＤＭ復調処理を行う２合成ダイバーの動作が一方のＯＦＤＭ復調部３０によって行われるとともに、他の２つのチューナ部１４、１６から出力される２つのＩＦ信号を合成してＯＦＤＭ復調処理を行う２合成ダイバーの動作が他方のＯＦＤＭ復調部３２によって行われる。なお、上述した４合成ダイバーの動作を行う際には、他方のＯＦＤＭ復調部３２の出力信号が一方のＯＦＤＭ復調部３０に入力されて、このＯＦＤＭ復調部３０によってＩＦ信号の合成およびＯＦＤＭ復調処理が行われる。
【００２２】
ＭＰＥＧデコーダ４０は、ＯＦＤＭ復調部３０、３２から出力されるＴＳ信号に含まれる受信番組の音声および映像のＭＰＥＧ信号をデコードし、音声データおよび映像データを出力する。なお、実際には、ＯＦＤＭ復調部３０、３２から出力されるＴＳ信号はデマルチプレクサに入力されて、利用者が視聴を希望している番組に対応する音声および映像のＭＰＥＧ信号が分離されるが、このような番組の受信動作自体は従来手法と同じであって、図１では概略構成のみが図示されている。
【００２３】
デジタル−アナログ変換器４２は、ＭＰＥＧデコーダ４０から出力される音声データをアナログ音声信号に変換し、スピーカ４４から出力する。表示処理部４６は、ＭＰＥＧデコーダ４０から出力される映像データを表示に適した形式（例えば、ＮＴＳＣ形式）の映像信号に変換して表示装置４８に表示する。
【００２４】
制御部５０は、ＣＰＵ、ＲＯＭ、ＲＡＭ等を用いて所定の動作プログラムを実行することにより、番組受信動作と中継局や系列局のサーチ動作を含む地上デジタル放送受信機１００の全体動作を制御する。このために、制御部５０は、受信状態判定部５１、サーチ処理部５２、受信状態回復判定部５３、切替制御部５４を備えている。
【００２５】
受信状態判定部５１は、４つのチューナ部１０〜１６の全部あるいは一部を用いて放送波の受信状態を判定する。具体的には、受信状態判定部５１は、４つのチューナ部１０〜１６を用いた４合成ダイバーの動作時における放送波の受信状態を判定する動作と、２つのチューナ部１０、１２を用いた２合成ダイバーの動作時における放送波の受信状態と２つのチューナ部１４、１６を用いた２合成ダイバーの動作時における放送波の受信状態を求める動作とを選択的に行う。また、受信状態として、例えばＣ／Ｎが取得されるが、ＢＥＲ等の他の特性値を取得するようにしてもよい。
【００２６】
サーチ処理部５２は、現在受信中の放送局（第１の放送局）の放送波の受信状態が基準値よりも悪化した旨の判定が受信状態判定部５１によってなされたときに、第１の放送局と異なる第２の放送局を検出するサーチ動作を行う。具体的には、サーチ処理部５２は、現在受信中の第１の放送局の放送波（視聴チャンネル）に対応する番組内容を調べるとともに、ＯＦＤＭ復調部３２による復調処理の対象となっているチューナ部１４、１６に対して周波数切替指示を送って、利用者が視聴している第１の放送局の番組と内容が同じ他の番組を放送している中継局あるいは系列局を第２の放送局として検出するサーチ動作を行う。
【００２７】
受信状態回復判定部５３は、サーチ処理部５２によるサーチ動作と並行して、受信中の放送局（第１の放送局）の放送波の受信状態が回復傾向にあるか否かを判定する。具体的には、受信状態回復判定部５３は、受信状態判定部５１によって判定された受信状態（Ｃ／Ｎ）を所定の時間間隔で数値化して多項式近似した結果に基づいて回復傾向の有無を判定する。さらに具体的には、受信状態回復判定部５３は、サーチ処理部５２によるサーチ動作開始時に対して、時間経過に伴って受信状態が回復する傾向を、上述した多項式近似した結果が示している場合に回復傾向にある旨の判定を行う。特に、上述した多項式近似は、二次曲線近似であることが望ましく、この場合には、受信状態回復判定部５３は、二次曲線近似によって得られた二次曲線の二次係数に基づいて回復傾向の有無を判定する。
【００２８】
切替制御部５４は、サーチ処理部５２によって第２の放送局が検出されたときであって、受信状態回復判定部５３によって第１の放送局について回復傾向にある旨の判定が行われないときに、チューナ部１０〜１６による受信対象を第１の放送局から第２の放送局に切り替える処理を行い、受信状態回復判定部５３によって第１の放送局について回復傾向にある旨の判定が行われたときに、チューナ部１０〜１６による受信対象の第１の放送局から第２の放送局への切り替えを中止する処理を行う。
【００２９】
上述したチューナ部１０、１２、１４、１６が放送波受信手段に、ＯＦＤＭ復調部３０、３２が復調処理手段に、ＭＰＥＧデコーダ４０が映像・音声再生手段に、受信状態判定部５１が受信状態判定手段に、サーチ処理部５２がサーチ手段に、受信状態回復判定部５３が受信状態回復判定手段に、切替制御部５４が切替制御手段にそれぞれ対応する。
【００３０】
本実施形態の地上デジタル放送受信機１００はこのような構成を有しており、次に、番組を視聴中の放送局（第１の放送局）の放送波の受信状態が悪化した場合の動作について説明する。
【００３１】
地上デジタル放送では、ＭＰＥＧ２−ＴＳ（Transport Stream）規格に準拠した構造を有する放送波が配信される。ＭＰＥＧ２−ＴＳは、ＴＳヘッダ部と、ペイロード部（データ本体）とを有する。ＴＳヘッダ部とペイロード部とで１８８バイトのトランスポート・パケットが構成されている。また、このＭＰＥＧ２−ＴＳで伝送されるデータには、ＰＡＴ（Program Association Table）、ＰＭＴ、ＮＩＴ、ＢＩＴなどがある。
【００３２】
ＰＡＴ：番組（プログラム）番号ごとにその番組構成を記述しているテーブル（ＰＭＴ）を伝送しているトランスポート・パケットのＰＩＤ（Packet Identification、パケット識別情報）が記述されている。ＰＡＴ自身のＰＩＤは、固定値（０ｘ００００）を有する。このＰＡＴは、所定時間以内に１回受信される。
【００３３】
ＰＭＴ：このトランスポート・パケットのペイロード部に、１つの番組を構成するビデオ、オーディオなどの個別ストリームが伝送されているトランスポート・パケットのＰＩＤのリストや付属情報（サービス識別等）が記述されている。
【００３４】
ＮＩＴ：このトランスポート・パケットのペイロード部に、放送局のネットワーク識別が記述されている。
【００３５】
ＢＩＴ：このトランスポート・パケットのペイロード部に系列局情報が含まれる。ＢＩＴのＰＩＤは、固定値（０ｘ００２４）を有する。 このＢＩＴの拡張ブロードキャスタ記述子にはａｆｆｉｌｉａｔｉｏｎ＿ｉｄ（系列局識別）が含まれている。
【００３６】
図２は、現在受信中の放送波の受信状態が悪化したときに中継局をサーチして切り替える動作手順を示す流れ図である。
【００３７】
通常は、利用者が指定した放送局（第１の放送局）の放送波について、４つのチューナ部１０〜１６を用いた４ダイバー構成のダイバーシティ受信が行われ、フルセグメントデジタル放送の受信番組の音声がスピーカ４４から出力され、映像が表示装置４８の画面に表示される（ステップ１００）。
【００３８】
次に、受信状態判定部５１は、４ダイバー構成のダイバーシティ受信における受信状態が悪化したか否かを判定する（ステップ１０２）。この判定は、受信中の放送波のＣ／Ｎと基準値（例えば１７ｄＢ）を比較することにより行われる。Ｃ／Ｎが基準値以上であって受信状態が良好な場合にはステップ１０２の判定において否定判断が行われる。この場合には、ステップ１００に戻って番組受信動作が繰り返される。
【００３９】
また、Ｃ／Ｎが基準値よりも低くなって受信状態が悪化するとステップ１０２の判定において肯定判断が行われる。次に、切替制御部５４は、ＯＦＤＭ復調部３０による復調処理の対象を４つのチューナ部１０〜１６から２つのチューナ部１０、１２に切り替えて、番組視聴中の第１の放送局の放送波の受信を継続する（ステップ１０４）。
【００４０】
また、サーチ処理部５２は、チューナ部１４、１６の受信周波数を所定の順番で切り替えながらＯＦＤＭ復調部３２による復調処理に基づいて中継局の有無を調べる中継局のサーチ動作をバックグラウンドで開始する（ステップ１０６）。例えば、現在受信中の放送波に含まれるＮＩＴ等に基づいて中継局の周波数（中継局周波数）を知ることができ、サーチ方向に沿って中継局周波数が順番に選択される。なお、ステップ１０４における番組受信やステップ１０６における中継局のサーチ動作は、フルセグメントデジタル放送受信からワンセグメントデジタル放送受信に切り替えてから行うようにしてもよい。
【００４１】
次に、受信状態回復判定部５３は、視聴中のチャンネル（第１の放送局の放送波）のＣ／Ｎを取得して内部レジスタ（図示せず）に格納する（ステップ１０８）。なお、取得したＣ／Ｎを格納する場所は内部レジスタに限らず、半導体メモリ等であってもよい。また、内部レジスタに格納されるＣ／Ｎは、一定の時間間隔で取得することが望ましい。
【００４２】
次に、受信状態回復判定部５３は、内部レジスタに格納した複数のＣ／Ｎを読み出して、これら複数のＣ／Ｎに対して二次の多項式近似を行う（ステップ１１０）。
【００４３】
次に、サーチ処理部５２は、中継局を検出したか否かを判定する（ステップ１１２）。中継局が検出されない場合には否定判断が行われ、サーチ処理部５２は、中継局を検出するサーチ動作が受信周波数帯域について一巡したか否かを判定する（ステップ１１４）。一巡しない場合には否定判断が行われ、ステップ１０８に戻ってＣ／Ｎ取得、格納動作以降が繰り返される。また、サーチ動作が受信周波数帯域について一巡した場合にはステップ１１４の判定において肯定判断が行われる。以後、ステップ１００に戻って、４ダイバー受信による視聴中の放送局の番組受信を継続する。
【００４４】
サーチ動作によって中継局が検出された場合には、ステップ１１２の判定において肯定判断が行われる。次に、切替制御部５４は、検出された中継局のＣ／Ｎがチューナ１０、１２を用いた２ダイバー受信によって視聴中の放送局のＣ／Ｎよりも良好か否かを判定する（ステップ１１６）。中継局のＣ／Ｎの方が良好な場合には肯定判断が行われる。次に、受信状態回復判定部５３は、ステップ１１０の計算によって得られた多項式（二次近似式）の二次係数が閾値以上か否かを判定する（ステップ１１８）。二次係数が閾値以上の場合とは、視聴中の放送局のＣ／Ｎが回復傾向にあることを示している場合であって（具体例については後述する）、ステップ１１８の判定において肯定判断が行われる。このような場合には、切替制御部５４は、検出されたＣ／Ｎが良好な中継局への切り替えを中止する（ステップ１２０）。以後、ステップ１００に戻って、４ダイバー受信による視聴中の放送局の番組受信を継続する。
【００４５】
また、二次近似式の二次係数が閾値よりも小さい場合（視聴中の放送局のＣ／Ｎが回復傾向にない場合）にはステップ１１８の判定において否定判断が行われる。このような場合には、切替制御部５４は、チューナ部１０〜１６に指示を送って、視聴対象となる放送局を、検出された中継局に切り替える（ステップ１２２）。以後、ステップ１００に戻って、４ダイバー受信による視聴中の放送局の番組受信を継続する。
【００４６】
図３は、二次近似式と受信状態回復の有無判定の具体例を示す図である。図３において、横軸は経過時間を、縦軸はＣ／Ｎをそれぞれ示している。４ダイバー受信によって視聴中の放送局（第１の放送局）のＣ／Ｎが基準値よりも悪化すると（ａ）、チューナ部１０、１２を用いた２ダイバー受信による番組視聴が継続される一方で（ｂ）、チューナ部１４、１６を用いた２ダイバー受信による中継局のサーチ動作が開始される。このサーチ動作中は、視聴中の放送局の放送波のＣ／Ｎが所定の時間間隔で取得されて二次近似が行われる。そして、中継局が検出された時点で（ｃ）、この中継局のＣ／Ｎがその時点で視聴中の放送局のＣ／Ｎ（ｄ）よりも良好であることが確認されると、この中継局が切替対象としての放送局（第２の放送局）になるが、その時点で二次近似によって得られた二次近似式（ｙ＝０．０９ｘ2−１．０２ｘ＋１１．１７）の二次係数（０．０９）が所定の閾値（例えば０）以上であってＣ／Ｎが回復傾向にある場合、すなわち、この二次近似式が下に凸形状であってこれ以後もＣ／Ｎの上昇が期待できる場合には、中継局への切り替えが中止される。
【００４７】
このように、本実施形態の地上デジタル放送受信機１００では、受信中（視聴中）の第１の放送局の受信状態が悪化して、この第１の放送局とは異なる第２の放送局を検出した場合であっても、第１の放送局の受信状態が回復傾向にある場合には第２の放送局に切り替えずに元の第１の放送局の放送波の受信が継続されるため、放送局の頻繁な切り替えを防止することができ、頻繁な切り替えに伴う受信品質の低下を抑制することができる。
【００４８】
また、４つのチューナ部１０〜１６の中で２つのチューナ部１０、１２を用いてサーチ動作を行い、残りのチューナ部１４、１６を用いてサーチ動作と並行した第１の放送局の受信動作を行っており、視聴中の第１の放送局の放送波の受信状態悪化時にバックグラウンド処理によって中継局をサーチすることにより、第１の放送局の番組受信を継続することが可能となる。
【００４９】
また、サーチ動作開始前の第１の放送局に対応する放送波の受信動作は、４つのチューナ部１０〜１６を用いた４ダイバー構成によって行っているため、通常動作時における番組の受信品質の向上が可能となる。
【００５０】
また、サーチ動作において第１の放送局に対応する中継局を検出することにより、受信状態悪化時に放送局を切り替えた場合であっても同じ内容の番組の視聴を継続することが可能となる。
【００５１】
また、サーチ動作と並行して受信している第１の放送局について、受信状態を所定の時間間隔で数値化して多項式近似した結果に基づいて回復傾向の有無を判定することにより、悪化した第１の放送局の受信状態が時間経過とともにどのように変化しているかを把握することができ、受信状態が回復傾向にあるか否かを正確に判定することが可能となる。特に、サーチ動作開始時に対して、時間経過に伴って受信状態が回復する傾向を、多項式近似した結果が示している場合に、回復傾向にある旨の判定を行っており、これにより、悪化した受信状態がサーチ動作中に回復しているか否かを確認することが可能となる。
【００５２】
また、使用する多項式近似は二次曲線近似であり、二次曲線近似によって得られた二次曲線の二次係数に基づいて回復傾向の有無が判定されている。具体的には、二次係数の値が所定の閾値（例えば０）以上の場合に回復傾向にある旨の判定が行われる。これにより、受信状態が変化する傾向を把握して受信状態の回復傾向の有無を判定することが容易となる。
【００５３】
また、サーチ動作によって第２の放送局が検出されたときであって、第１の放送局の放送波のＣ／Ｎよりも中継局の放送波のＣ／Ｎの方が良好であり、かつ、第１の放送局の放送波のＣ／Ｎが回復傾向にある旨の判定が行われないとき（回復傾向にないとき）に、中継局への切り替えを行っている。これにより、サーチ動作に伴う切替時まで待ってＣ／Ｎの回復の有無を判定することができるため、この回復傾向の判定精度を高めることが可能となる。
【００５４】
なお、本発明は上記実施形態に限定されるものではなく、本発明の要旨の範囲内において種々の変形実施が可能である。例えば、上述した実施形態では、サーチ動作と並行して、視聴中の第１の放送局の放送波のＣ／Ｎを二次近似してその二次係数に基づいてこの放送波の受信状態が回復傾向にあるか否かを判定したが、この判定動作（第１の判定方法）と組み合わせて、あるいは、この判定動作に代えて、中継局が検出された時点において、第１の放送局の放送波の受信状態がサーチ動作開始時よりも良好な場合にこの第１の放送局の放送波の受信状態が回復傾向にある旨の判定（第２の判定方法）を行うようにしてもよい。第１の判定方法と第２の判定方法を組み合わせて用いることにより、より正確に受信状態の回復傾向を知ることができる。また、第２の方法を単独で用いることにより、受信状態が回復していることを容易に確認することが可能となる。
【００５５】
また、上述した実施形態では、サーチ動作によって中継局が検出された場合であっても、視聴中の第１の放送局の放送波の受信状態が回復傾向にある場合にはこの中継局への切り替えは中止されるが、次に、視聴中の第１の放送局の放送波の受信状態が再度悪化した場合に、サーチ動作を行うことなく、前回切り替えを中止した中継局に優先的に切り替えるようにしてもよい。
【００５６】
図４は、現在受信中の放送波の受信状態が悪化したときに中継局をサーチして切り替える変形例の動作手順を示す流れ図である。図４に示す動作手順は、図２に示した動作手順に対して、ステップ１０２とステップ１０４の間にステップ１０３の動作を追加するとともに、ステップ１１８の次にステップ１１９の動作を追加した点が異なっている。以下では、これらの追加したステップ１０３、１１９に着目して説明を行うものとする。
【００５７】
サーチ動作と並行して視聴中の第１の放送局の放送波の受信状態が回復傾向にあってステップ１１８の判定において肯定判断が行われると、切替制御部５４は、切り替えを中止する中継局を記憶する（ステップ１１９）。なお、このステップ１１９の動作は、ステップ１２０の動作（中継局への切り替えの中止）の次に行うようにしてもよい。
【００５８】
また、視聴中の第１の放送局の放送波の受信状態が悪化してステップ１０２の判定において肯定判断が行われると、次に、切替制御部５４は、記憶した中継局があるか否かを判定する（ステップ１０３）。中継局を記憶していない場合には否定判断が行われ、ステップ１０４の動作に移行して、以後、中継局を検出するためのサーチ動作等が行われる。また、すでにステップ１１９において中継局が記憶されている場合にはステップ１０３の判定において肯定判断が行われる。この場合には、ステップ１２２の動作に移行して、記憶しておいた中継局への切り替えが実施される。
【００５９】
これにより、一旦切り替えを中止して元の放送局の受信を継続したが再度受信状態が悪化した場合に、前回検出した放送局に迅速に切り替えることが可能となり、受信状態悪化から放送局の切り替えまでに要する時間を短縮することができる。
【００６０】
また、上述した実施形態では、サーチ動作によって検出する放送局の対象を中継局としたが、中継局と系列局の両方を対象にしてもよい。
【産業上の利用可能性】
【００６１】
上述したように、本発明によれば、受信中の第１の放送局の受信状態が悪化して、この第１の放送局とは異なる第２の放送局を検出した場合であっても、第１の放送局の受信状態が回復傾向にある場合には第２の放送局に切り替えずに元の第１の放送局の放送波の受信が継続されるため、放送局の頻繁な切り替えを防止することができ、頻繁な切り替えに伴う受信品質の低下を抑制することができる。
【符号の説明】
【００６２】
１００  地上デジタル放送受信機
１０、１２、１４、１６  チューナ部
３０、３２  ＯＦＤＭ復調部
４０  ＭＰＥＧデコーダ
４２  デジタル−アナログ変換器（Ｄ／Ａ）
４４  スピーカ
４６  表示処理部
４８  表示装置
５０  制御部
５１  受信状態判定部
５２  サーチ処理部
５３  受信状態回復判定部
５４  切替制御部
【図１】
2019041245.tif 000003
【図２】
2019041245.tif 000004
【図３】
2019041245.tif 000005
【図４】
2019041245.tif 000006